(57)【要約】【課題】印刷装置に対する操作を簡易に行うことができるようにする。【解決手段】本発明の印刷装置は、印刷信号に従って画像を印刷する印刷機構と、前記画像を検出するセンサと、前記印刷機構にマークシートを印刷させ、前記センサに前記マークシートを検出させ、前記センサの検出結果に基づいて前記印刷信号を生成し、その印刷信号に従って前記印刷機構に画像を印刷させるコントローラとを有することを特徴とする。【選択図】  図４
2005324526.tif 000002
【特許請求の範囲】
【請求項１】
印刷信号に従って画像を印刷する印刷機構と、
前記画像を検出するセンサと、
前記印刷機構にマークシートを印刷させ、前記センサに前記マークシートを検出させ、前記センサの検出結果に基づいて前記印刷信号を生成し、その印刷信号に従って前記印刷機構に画像を印刷させるコントローラと
を有することを特徴とする印刷装置。
【請求項２】
請求項１に記載の印刷装置であって、
前記マークシートには、印刷特性を設定するためのマークがあり、
前記コントローラは、前記マークの検出結果に基づいて、設定された前記印刷特性に応じて前記印刷信号を生成する
ことを特徴とする印刷装置。
【請求項３】
請求項１又は２に記載の印刷装置であって、
前記マークシートには、彩度、明度及びコントラストのうちの少なくとも１つを調整するためのマークがあり、
前記コントローラは、前記マークの検出結果に基づいて、前記彩度、明度及びコントラストのうちの少なくとも１つを調整して前記印刷信号を生成する
ことを特徴とする印刷装置。
【請求項４】
請求項１〜３のいずれかに記載の印刷装置であって、
前記マークシートには、モノクロ、セピア、又はそれ以外を選択するためのマークがあり、
前記コントローラは、前記マークの検出結果に基づいて、前記印刷信号を生成する
ことを特徴とする印刷装置。
【請求項５】
請求項１〜４のいずれかに記載の印刷装置であって、
前記マークシートには、調整規格を選択するためのマークがあり、
前記コントローラは、前記マークの検出結果に基づいて、前記調整規格に応じて前記印刷信号を生成する
ことを特徴とする印刷装置。
【請求項６】
請求項１〜５のいずれかに記載の印刷装置であって、
前記マークシートには、シャープネスを選択するためのマークがあり、
前記コントローラは、前記マークの検出結果に基づいて、前記印刷信号を生成する
ことを特徴とする印刷装置。
【請求項７】
請求項１〜６のいずれかに記載の印刷装置であって、
前記マークシートには、撮影条件を選択するためのマークがあり、
前記コントローラは、前記マークの検出結果に基づいて、前記撮影条件に応じて前記印刷信号を生成する
ことを特徴とする印刷装置。
【請求項８】
請求項２に記載の印刷装置であって、
前記マークシートには、確認用のマークがあり、
前記確認用のマークが塗りつぶされたことを前記センサが検出したとき、設定された前記印刷特性にて、マークシートを再度印刷する
ことを特徴とする印刷装置。
【請求項９】
印刷信号に従って画像を印刷する印刷機構と、
前記画像を検出するセンサと、
前記印刷機構にマークシートを印刷させ、前記センサに前記マークシートを検出させ、前記センサの検出結果に基づいて前記印刷信号を生成し、その印刷信号に従って前記印刷機構に画像を印刷させるコントローラと
を有し、
前記マークシートには、印刷特性を設定するためのマークがあり、
前記コントローラは、前記マークの検出結果に基づいて、設定された前記印刷特性に応じて前記印刷信号を生成し、
前記マークシートには、彩度、明度及びコントラストのうちの少なくとも１つを調整するためのマークがあり、
前記コントローラは、前記マークの検出結果に基づいて、前記彩度、明度及びコントラストのうちの少なくとも１つを調整して前記印刷信号を生成し、
前記マークシートには、モノクロ、セピア、又はそれ以外を選択するためのマークがあり、
前記コントローラは、前記マークの検出結果に基づいて、前記印刷信号を生成し、
前記マークシートには、調整規格を選択するためのマークがあり、
前記コントローラは、前記マークの検出結果に基づいて、前記調整規格に応じて前記印刷信号を生成し、
前記マークシートには、シャープネスを選択するためのマークがあり、
前記コントローラは、前記マークの検出結果に基づいて、前記印刷信号を生成し、
前記マークシートには、撮影条件を選択するためのマークがあり、
前記コントローラは、前記マークの検出結果に基づいて、前記撮影条件に応じて前記印刷信号を生成し、
前記マークシートには、確認用のマークがあり、
前記確認用のマークが塗りつぶされたことを前記センサが検出したとき、設定された前記印刷特性にて、マークシートを再度印刷する
ことを特徴とする印刷装置。
【請求項１０】
画像を印刷する印刷方法であって、
マークシートを印刷し、
前記マークシートをセンサにより検出し、
前記センサの検出結果に基づいて印刷信号を生成し、
その印刷信号に従って画像を印刷する
ことを特徴とする印刷方法。
【請求項１１】
印刷信号に従って画像を印刷する印刷機構と、前記画像を検出するセンサと、を有する印刷装置に、
前記印刷機構にマークシートを印刷させる機能と、
前記センサに前記マークシートを検出させる機能と、
前記センサの検出結果に基づいて前記印刷信号を生成する機能と、
その印刷信号に従って前記印刷機構に画像を印刷させる機能と
を実現させることを特徴とするプログラム。
【発明の詳細な説明】
【技術分野】
【０００１】
本発明は、印刷装置、印刷方法及びプログラムに関する。
【背景技術】
【０００２】
近年、ディジタルカメラの普及により、撮影した画像を自宅において自由に印刷できる印刷装置に対する需要が高まっている。一方、ディジタルカメラによって撮影された画像を印刷装置によって印刷する際には、印刷しようとする画像を特定するとともに、印刷用紙の種類、サイズ、および、画質等を設定する必要がある。  
しかし、このような設定作業は操作に慣れていないユーザには負担であり、また、操作に慣れているユーザにとっても煩雑である。
【０００３】
そこで、本願出願人は、印刷の候補となる画像群をインデックス画像として印刷用紙に印刷し、このインデックス画像を参照して、印刷を行う発明を既に提案している（特許文献１参照）。
【特許文献１】特開２００２−２８３６４３号公報（要約書）
【発明の開示】
【発明が解決しようとする課題】
【０００４】
上記発明では、ユーザは、インデックス画像を参照しつつ印刷装置に接続されたコンピュータの入力装置または印刷装置に具備されている操作パネルを操作している。しかし、印刷装置の操作パネルによる操作は煩雑であり、また、誤操作されやすいという問題がある。
【０００５】
そこで、本発明は、印刷装置に対する操作を簡易に行うことができるようにすることを目的とする。
【課題を解決するための手段】
【０００６】
上記目的を達成するための主たる発明は、
印刷信号に従って画像を印刷する印刷機構と、
前記画像を検出するセンサと、
前記印刷機構にマークシートを印刷させ、前記センサに前記マークシートを検出させ、前記センサの検出結果に基づいて前記印刷信号を生成し、その印刷信号に従って前記印刷機構に画像を印刷させるコントローラと
を有することを特徴とする印刷装置である。
【０００７】
本発明の他の特徴については、本明細書及び添付図面の記載により明らかにする。
【発明を実施するための最良の形態】
【０００８】
＝＝＝開示の概要＝＝＝
本明細書及び添付図面の記載により、少なくとも、以下の事項が明らかとなる。
【０００９】
印刷信号に従って画像を印刷する印刷機構と、
前記画像を検出するセンサと、
前記印刷機構にマークシートを印刷させ、前記センサに前記マークシートを検出させ、前記センサの検出結果に基づいて前記印刷信号を生成し、その印刷信号に従って前記印刷機構に画像を印刷させるコントローラと
を有することを特徴とする印刷装置。  
このような印刷装置によれば、印刷装置に対する操作を簡易に行うことができる。
【００１０】
かかる印刷装置であって、前記マークシートには、印刷特性を設定するためのマークがあり、前記コントローラは、前記マークの検出結果に基づいて、設定された前記印刷特性に応じて前記印刷信号を生成することが望ましい。このような印刷装置によれば、印刷特性の設定を簡易に行うことができる。
【００１１】
かかる印刷装置であって、前記マークシートには、彩度、明度及びコントラストのうちの少なくとも１つを調整するためのマークがあり、前記コントローラは、前記マークの検出結果に基づいて、前記彩度、明度及びコントラストのうちの少なくとも１つを調整して前記印刷信号を生成することが望ましい。このような印刷装置によれば、彩度等の調整を簡易に行うことができる。
【００１２】
かかる印刷装置であって、前記マークシートには、モノクロ、セピア、又はそれ以外を選択するためのマークがあり、前記コントローラは、前記マークの検出結果に基づいて、前記印刷信号を生成することが望ましい。このような印刷装置によれば、モノクロ等の調整の選択を簡易に行うことができる。
【００１３】
かかる印刷装置であって、前記マークシートには、調整規格を選択するためのマークがあり、前記コントローラは、前記マークの検出結果に基づいて、前記調整規格に応じて前記印刷信号を生成することが望ましい。このような印刷装置によれば、調整規格の選択を簡易に行うことができる。
【００１４】
かかる印刷装置であって、前記マークシートには、シャープネスを選択するためのマークがあり、前記コントローラは、前記マークの検出結果に基づいて、前記印刷信号を生成することが望ましい。このような印刷装置によれば、印刷画像の輪郭の調整を簡易に行うことができる。
【００１５】
かかる印刷装置であって、前記マークシートには、撮影条件を選択するためのマークがあり、前記コントローラは、前記マークの検出結果に基づいて、前記撮影条件に応じて前記印刷信号を生成することが望ましい。このような印刷装置によれば、撮影条件の選択を簡易に行うことができる。
【００１６】
かかる印刷装置であって、前記マークシートには、確認用のマークがあり、前記確認用のマークが塗りつぶされたことを前記センサが検出したとき、設定された前記印刷特性にて、マークシートを再度印刷することが望ましい。このような印刷装置によれば、調整後に適正なパターンが印刷されるか否かを再確認してから実際の印刷を行うことができるので、印刷の失敗が少なくなる。
【００１７】
画像を印刷する印刷方法であって、
マークシートを印刷し、
前記マークシートをセンサにより検出し、
前記センサの検出結果に基づいて印刷信号を生成し、
その印刷信号に従って画像を印刷する
ことを特徴とする印刷方法。  
このような印刷方法によれば、印刷装置に対する操作を簡易に行うことができる。
【００１８】
印刷信号に従って画像を印刷する印刷機構と、前記画像を検出するセンサと、を有する印刷装置に、
前記印刷機構にマークシートを印刷させる機能と、
前記センサに前記マークシートを検出させる機能と、
前記センサの検出結果に基づいて前記印刷信号を生成する機能と、
その印刷信号に従って前記印刷機構に画像を印刷させる機能と
を実現させることを特徴とするプログラム。  
このようなプログラムによれば、印刷装置に対する操作を簡易に行うことができる。
【００１９】
また、複数の画像補正調整パターンを印刷する画像補正調整パターン印刷手段と、複数の画像補正調整パターンが印刷されたマークシートを印刷装置の内部へ吸引する吸引手段と、複数の画像補正調整パターンの内の一部を選択すべくマークシート上に付けられたマークを検出するためのセンサと、センサによって検出されたマークの位置の情報を読み取る読み取り手段と、マークシート上の各マークの位置の情報に対してそれぞれ画像補正調整を関連付けたデータベースを記憶する記憶手段と、読み取り手段によって読み取られたマークの位置の情報とデータベースとを照合して画像補正調整を決定する画像補正調整決定手段とを備えた印刷装置としている。このため、印刷に際して、画像補正調整を簡易かつ迅速に行うことができる。
【００２０】
なお、後述のＣＰＵ６１は、複数の画像補正調整パターンを印刷する画像補正調整パターン印刷手段および複数の画像エフェクト設定パターンを印刷する画像エフェクト設定パターン印刷手段と、複数の画像補正調整パターンあるいは複数の画像エフェクト設定パターンが印刷されたマークシートをプリンタ１の内部へ吸引する吸引手段と、光学センサ５３によって検出されたマークの位置の情報を読み取る読み取り手段と、読み取り手段によって読み取られたマークの位置の情報に基づいて画像補正調整を決定する画像補正調整決定手段および画像エフェクトを決定する画像エフェクト決定手段と、光学センサ５３によってマークシート上に付けられたマークに基づいて決定される画像補正調整または画像エフェクト（印刷特性）を確認するための確認用のマークが検出されると、当該付けられたマークに基づいて決定される印刷特性にて印刷を実行する確認用印刷実行手段と、複数の画像エフェクト設定パターンを印刷する対象となる画像データを読み込む画像データ読み込み手段とを兼ねている。また、後述のＣＰＵ８６１は、複数の画像補正調整パターンを印刷する画像補正調整パターン印刷手段と、複数の画像エフェクト設定パターンを印刷する画像エフェクト設定パターン印刷手段と、複数の画像補正調整パターンあるいは複数の画像エフェクト設定パターンが印刷されたマークシート５００等をプリンタ８０２の内部へ吸引する吸引手段と、光学センサ８５３によって検出されたマーク５１５等の位置の情報を読み取る読み取り手段と、光学センサ８５３によってマークシート５００等上に付けられたマーク５１５等に基づいて決定される画像補正調整を確認するための確認用のマーク６６２が検出されると、当該付けられたマーク５１５等に基づいて決定される画像補正調整にて印刷を実行する確認用印刷実行手段と、複数の画像エフェクト設定パターンを印刷する対象となる画像データを読み込む画像データ読み込み手段とを兼ねている。なお、ＣＰＵ８６１は、さらに、読み取り手段によって読み取られたマークの位置の情報に基づいて画像補正調整を決定する画像補正調整決定手段あるいは画像エフェクトを決定する画像エフェクト決定手段の一部を兼ねても良い。
【００２１】
また、上記の画像補正調整が、彩度、明度、コントラストの内少なくともいずれか１つの調整である印刷装置としている。このため、特に、彩度、明度若しくはコントラストの補正を行う場合に、ユーザがマークシート上に印刷された複数の画像補正調整パターンの内の一部を選択して、そのマークシートを読み込ませるだけで、画像補正調整を簡易かつ迅速に実行できる。
【００２２】
また、複数の画像エフェクト設定パターンを印刷する画像エフェクト設定パターン印刷手段と、複数の画像エフェクト設定パターンが印刷されたマークシートを印刷装置の内部へ吸引する吸引手段と、複数の画像エフェクト設定パターンの内の一部を選択すべくマークシート上に付けられたマークを検出するためのセンサと、センサによって検出されたマークの位置の情報を読み取る読み取り手段と、マークシート上の各マークの位置の情報に対してそれぞれ画像エフェクトを関連付けたデータベースを記憶する記憶手段と、読み取り手段によって読み取られたマークの位置の情報とデータベースとを照合して画像エフェクトを決定する画像エフェクト決定手段とを備えた印刷装置としている。  
このため、印刷に際して、画像エフェクト設定を簡易かつ迅速に行うことができる。
【００２３】
また、上記の画像エフェクト設定が、モノクロおよびセピアの内少なくともいずれか１つを含むエフェクトの設定である印刷装置としている。このため、特に、モノクロ若しくはセピアの設定を行う場合に、ユーザがマークシート上に印刷された複数の画像エフェクト設定パターンの内の一部を選択して、そのマークシートを読み込ませるだけで、画像エフェクトの設定を簡易かつ迅速に実行できる。
【００２４】
また、上記の画像エフェクト設定が、写真データを印刷する場合の調整規格の設定である印刷装置としている。このため、特に、写真データを印刷する場合の調整規格が複数存在し、その中から所望の調整規格を設定して印刷を行いたい場合に、ユーザがマークシート上に印刷された複数の調整規格の一部を選択して、そのマークシートを読み込ませるだけで、所望の調整規格の設定を簡易かつ迅速に実行できる。
【００２５】
また、上記の画像エフェクトの設定が、人物、風景、接写の内少なくともいずれか１つに合わせた設定である印刷装置としている。このため、特に、人物、風景若しくは接写に適した画像エフェクトの設定を行って印刷したい場合に、ユーザがマークシート上に印刷された複数の画像エフェクトの内の一部を選択して、そのマークシートを読み込ませるだけで、撮影対象あるいは撮影条件に適した画像エフェクトの設定を簡易かつ迅速に実行できる。
【００２６】
また、上記の複数の画像エフェクト設定パターンを印刷する対象となる画像データを読み込む画像データ読み込み手段を、さらに備えた印刷装置としている。このため、画像エフェクトの設定の際に、実際に撮影した画像データを複数の画像エフェクトにて一覧印刷させて、どのような印刷が実現できるかを確認してから、所望の画像エフェクトの設定を行うことができる。したがって、画像エフェクトに精通していないユーザであっても、簡単かつ迅速に、かかる印刷特性の設定を行うことができる。
【００２７】
また、上記のセンサが、紙送り方向と直交する主走査方向を往復移動する印刷ヘッドに取り付けられる光学センサである印刷装置としている。このため、紙端検出等に使用されている光学センサを利用することにより、マークシートの読み取りができる。したがって、別のセンサ、当該センサを走査させる別の駆動手段を備えることないので、印刷装置の製造コストを低減することができる。
【００２８】
また、上記のセンサをＣＣＤカメラとし、そのＣＣＤカメラを紙送り方向またはその方向と直交する主走査方向にスキャンすることによって、マークの位置の情報を読み取る印刷装置としている。このようなスキャナ機能を付加させることによっても、マークシートの読み取りが可能である。したがって、スキャナ機能を持つ印刷装置の場合、マークシート読み取り用の別個のセンサを設けることなく、マークシートの読み取りができる。したがって、印刷装置の製造コストを低減することができる。
【００２９】
また、上記のセンサによって、マークシート上に付けられたマークに基づいて決定される印刷特性を確認するための確認用のマークが検出されると、当該付けられたマークに基づいて決定される印刷特性にて印刷を実行する確認用印刷実行手段を、さらに備えた印刷装置としている。このため、ユーザがマークした印刷特性パターンで適正な印刷特性が実現できるか否かを確認してから、実際の印刷を行うことができる。したがって、印刷の失敗が少なくなる。
【００３０】
また、複数の画像補正調整パターンを印刷する画像補正調整パターン印刷ステップと、複数の画像補正調整パターンが印刷されたマークシートを印刷装置の内部へ吸引する吸引ステップと、複数の画像補正調整パターンの内の一部を選択すべくマークシート上に付けられたマークの位置を検出する位置検出ステップと、マークの位置の情報を読み取る読み取りステップと、マークシート上の各マークの位置の情報に対してそれぞれ画像補正調整を関連付けたデータベースを参照して、読み取られたマークの位置に基づく画像補正調整を決定する画像補正調整決定ステップとを有する印刷特性調整方法としている。このため、印刷に際して、画像補正調整を簡易かつ迅速に行うことができる。
【００３１】
また、複数の画像エフェクト設定パターンを印刷する画像エフェクト設定パターン印刷手段と、複数の画像エフェクト設定パターンが印刷されたマークシートを印刷装置の内部へ吸引する吸引手段と、複数の画像エフェクト設定パターンの内の一部を選択すべくマークシート上に付けられたマークを検出するためのセンサと、センサによって検出されたマークの位置の情報を読み取る読み取り手段と、マークシート上の各マークの位置の情報に対してそれぞれ画像エフェクトを関連付けたデータベースを記憶する記憶手段と、読み取り手段によって読み取られたマークの位置の情報とデータベースとを照合して画像エフェクトを決定する画像エフェクト決定手段とを備えた印刷装置としている。  
このため、印刷に際して、画像エフェクト設定を簡易かつ迅速に行うことができる。
【００３２】
また、画像補正調整をコンピュータに実行させる印刷特性調整用プログラムであって、コンピュータを、複数の画像補正調整パターンを印刷する画像補正調整パターン印刷手段、複数の画像補正調整パターンが印刷されたマークシートを印刷装置の内部へ吸引する吸引手段、複数の画像補正調整パターンの内の一部を選択すべくマークシート上に付けられたマークの位置の情報を読み取る読み取り手段、マークシート上の各マークの位置の情報に対してそれぞれ画像補正調整を関連付けたデータベースを参照して、読み取られたマークの位置の情報に基づく画像補正調整を決定する画像補正調整決定手段、として機能させる印刷特性調整用プログラムとしている。このため、この印刷特性調整用プログラムをコンピュータにインストールして実行することによって、印刷に際して、画像補正調整を簡易かつ迅速に行うことができる。
【００３３】
また、画像エフェクト設定をコンピュータに実行させる印刷特性調整用プログラムであって、コンピュータを、複数の画像エフェクト設定パターンを印刷する画像エフェクト設定パターン印刷手段、複数の画像エフェクト設定パターンが印刷されたマークシートを印刷装置の内部へ吸引する吸引手段、複数の画像エフェクト設定パターンの内の一部を選択すべくマークシート上に付けられたマークの位置の情報を読み取る読み取り手段、マークシート上の各マークの位置の情報に対してそれぞれ画像エフェクトを関連付けたデータベースを参照して、読み取られたマークの位置の情報に基づく画像エフェクトを決定する画像エフェクト決定手段として機能させる印刷特性調整用プログラムとしている。  
このため、この印刷特性調整用プログラムをコンピュータにインストールして実行することによって、印刷に際して、画像エフェクト設定を簡易かつ迅速に行うことができる。
【００３４】
＝＝＝第１実施形態＝＝＝
まず、本発明の第１の実施の形態における印刷装置の概要について、図１および図２を参照しつつ説明する。
【００３５】
図１は、印刷装置であるプリンタ１の外観を示す図である。  
図１に示すプリンタ１は、パーソナルコンピュータとの接続なしに印刷を実行できる「スタンドアローン型プリンタ」である。このプリンタ１の後側上方および前面下方には、それぞれ給紙口２および排紙口３が設けられている。印刷媒体の一例である印刷用紙４を給紙口２に挿入して、印刷指示を実行すると、当該印刷用紙４はプリンタ１の内部に給紙されながら印刷されて、排紙口３から排出される。
【００３６】
また、プリンタ１の前面には、液晶ディスプレイ５が配置され、当該液晶ディスプレイの両側には、各種操作ボタンが設けられた操作パネル６が配置されている。電源のオン・オフ、印刷媒体の種類の設定、インクカートリッジの交換時の操作、ヘッドクリーニング等は、操作パネル６にある各種の操作キー７を操作することによって実行される。なお、液晶ディスプレイ５の代わりに、ＣＲＴ（Cathode Ray Tube）モニタを採用しても良い。
【００３７】
図２は、プリンタ１の主要部の構成例を示すブロック図である。  
プリンタ１は、メモリカードに代表される情報記録媒体に格納されるデータを読み取りあるいは当該情報記録媒体に情報を記録するドライブユニット８を備えている。また、プリンタ１は、各構成部と操作パネル６，６との間における信号の送受信、液晶ディスプレイ５への映像信号の送信およびドライブユニット８との間における情報の送受信を司る制御回路１０を備えている。
【００３８】
また、プリンタ１は、搬送機構（副走査送り機構）と、キャリッジ移動機構（主走査送り機構）とを有している。搬送機構は、紙送りモータ３０によって印刷用紙４を搬送する。キャリッジ移動機構は、キャリッジモータ３１によってキャリッジ３２を紙送りローラ３３の軸方向に往復移動させる。ここで、搬送機構による印刷用紙４の送り方向を搬送方向（副走査方向ともいう）といい、キャリッジ移動機構によるキャリッジ３２の移動する方向を移動方向（主走査方向ともいう）という。
【００３９】
また、プリンタ１は、キャリッジ３２に搭載されると共に印刷ヘッド３４を備える印刷ヘッドユニット３５と、この印刷ヘッドユニット３５を駆動してインクの吐出およびドット形成を制御するヘッド駆動機構とを備えている。
【００４０】
キャリッジ３２には、図１に示すように、各種インクカートリッジ４１〜４７が着脱可能に搭載されている。インクカートリッジ４１，４２，４３，４４，４５，４６，４７は、それぞれダークイエロー（ＤＹ）、ライトマゼンダ（ＬＭ）、ライトシアン（ＬＣ）、ブラック（Ｋ）、シアン（Ｃ）、マゼンタ（Ｍ）およびイエロー（Ｙ）の各インクを収納したカートリッジである。
【００４１】
印刷ヘッド３４には、インク吐出箇所としてのノズルが印刷用紙４の搬送方向に列状に配置され、それぞれの色のインクに対応したノズル列が形成されている。
【００４２】
また、キャリッジ３２の下部に設けられ、各インクに対応づけられたノズル列には、ノズル毎に、電歪素子の１つであって応答性に優れたピエゾ素子が配置されている。ピエゾ素子は、ノズルまでインクを導くインク通路を形成する部材に接する位置に設置されている。ピエゾ素子は、電圧の印加により結晶構造が歪み、極めて高速に電気−機械エネルギの変換を行う。
【００４３】
本実施の形態では、ピエゾ素子の両端に設けられた電極間に所定時間幅の電圧を印加することにより、ピエゾ素子が電圧の印加時間だけ伸張し、インク通路の一側壁を変形させる。この結果、インク通路の体積はピエゾ素子の伸張に応じて収縮し、この収縮分に相当するインクが、インク滴となって、ノズルの先端から高速に吐出される。このインク滴が紙送りローラ３３に沿わされた印刷用紙４に染み込むことにより、ドットが形成されて印刷が行われる。インク滴の大きさは、ピエゾ素子への電圧の印加方法によって変更することができる。これにより、例えば、大、中、小の３種類の異なる大きさのドットを形成することができる。
【００４４】
印刷用紙４を搬送する搬送機構は、紙送りモータ３０の回転を紙送りローラ３３と用紙搬送ローラ（図示せず）とに伝達するギヤトレイン（図示せず）を備える。また、キャリッジ３２を往復動させるキャリッジ移動機構は、紙送りローラ３３の軸と並行に架設されキャリッジ３２を摺動可能に保持する摺動軸５０と、キャリッジモータ３１との間に無端の駆動ベルト５１を張設するプーリ５２と、キャリッジ３２の原点位置を検出するとともに、後述するマークシート上のマークを検出するための光学センサ５３とを備えている。なお、光学センサ５３は、光を印刷用紙４およびマークシートに対して投射する光源と、印刷用紙４およびマークシートからの反射光を対応する画像信号に変換する、例えば、フォトダイオード（または、ＣＣＤ（Charge Coupled Device）素子）とによって構成されている。光学センサ５３は、キャリッジ３２に搭載されているので、キャリッジ３２の移動方向に移動可能である。この光学センサ５３は、紙の有無を検出することもできるので、キャリッジ３２の移動中に紙の端部を検出して紙幅を検出したり、搬送中の紙の端部を検出して紙の上端や下端を検出したりできる。
【００４５】
なお、マークシートとは、チェックボックス等のマークが印刷された用紙である。ユーザはマークを選択的に鉛筆で塗りつぶし、光学センサ５３は、マークが塗りつぶされているか否かを検出する。これにより、プリンタは、マークシートを介して、ユーザの指示を受けることが可能となる。
【００４６】
図３は、図２に示す制御回路１０の内部の構成例を示す図である。  
図３に示すように、制御回路１０は、ＣＰＵ（Central Processing Unit）６１、プログラマブルＲＯＭ（Ｐ−ＲＯＭ（Read Only Memory））６２、ＲＡＭ（Random Access Memory）６３、文字のドットマトリクスを記憶したキャラクタジェネレータ（ＣＧ（Character Generator））６４、記憶手段であるＥＥＰＲＯＭ（Electrically Erasable and Programmable ROM）６５を備えている。ここで、制御回路１０のＣＰＵ６１は、ＲＯＭ６２に格納されているプログラムに従って、各種演算処理を実行する。このＣＰＵ６１は、プリンタ内の各部を制御するためのコントローラ（制御部）となる。例えば、ＣＰＵ６１は、キャリッジ移動機構を制御してキャリッジ（及び印刷ヘッド）を移動させ、搬送機構を制御して印刷用紙を搬送方向に搬送させ、また、ヘッド駆動機構を制御して印刷ヘッドにインクを吐出させることができる。また、ＣＰＵ６１は、光学センサ５３の検出結果に基づいて、プリンタ内の各部を制御することもできる。
【００４７】
制御回路１０は、さらに、外部の操作パネル７、ドライブユニット８およびモータ等とのインタフェース（Ｉ／Ｆ（Interface））であるＩ／Ｆ専用回路６６と、このＩ／Ｆ専用回路６６に接続され印刷ヘッドユニット３５を駆動してインクを吐出させるヘッド駆動回路６７と、紙送りモータ３０およびキャリッジモータ３１を駆動するモータ駆動回路６８と、ＣＰＵ６１から供給された描画命令に応じて描画処理を実行し、得られた画像データを映像信号に変換して液晶ディスプレイ５に出力するビデオ回路６９とを備えている。制御回路１０の内部の各構成部は、バス７０にて接続されており、互いに各種信号の送受信が可能となっている。
【００４８】
ドライブユニット８には、図示していないディジタルカメラの記憶媒体であるメモリカードが挿入され、メモリカードに記録されている情報を読み出して印刷が行われる。なお、ドライブユニット８の代わりに、所定のインタフェース回路を具備しておき、ディジタルカメラと有線または無線にて、画像情報を送受信するようにしても良い。メモリカードは、半導体記憶装置によって構成され、図示していないディジタルカメラに着脱可能に装着され、撮像された画像を格納するように構成されている。
【００４９】
次に、プリンタ１の画像補正調整および画像エフェクト（印刷特性）の設定方法について、図４から図１３に基づいて説明する。
【００５０】
図４は、ユーザが筆記用具を使用して適正と思われる印刷特性を指定するためのマークシート５００の一例を示す図である。  
このマークシート５００には、彩度レベルのパターンを印刷した彩度レベルパターン印刷領域５０１と、明度レベルのパターンを印刷した明度レベルパターン印刷領域５０２と、コントラストレベルのパターンを印刷したコントラストレベルパターン印刷領域５０３とがある。印刷領域５０１，５０２，５０３には、レベル表示５１１と、各レベルの下に配置されるチェックボックス印刷領域５１２とが印刷されている。図４に示すマークシート５００上には黒塗りのマーク５１５が付けられているが、最初に、ユーザがマーク５１４を塗りつぶす前の状態のマークシート５００が印刷される。  
各印刷領域５０１，５０２，５０３には、印刷特性パターンの一例として、−２、−１、＋−０、＋１および＋２の５種類のレベル表示５１１が描かれている。これら５種類のレベル表示５１１は、印刷特性の設定を行うに先立ち、マークシート５００に印刷される。  
一方、チェックボックス印刷領域５１２には、ユーザがマークするためのチェックボックス５１４が描かれている。ユーザは、プリンタ１によって印刷された当該マークシート５００上の適正と思われるレベル表示５１１を選択して、その下方にあるチェックボックス５１４を塗りつぶして、マークシート５００をプリンタ１に給紙させる。特定のチェックボックス５１４を塗りつぶしたマークシート５００をプリンタ１に給紙させると、光学センサ５３は、図４における移動方向の点線上を移動して、黒塗りのマーク５１５を検出する。
【００５１】
図５は、ユーザが筆記用具を使用して所望の印刷特性を指定するためのマークシート５２０の一例を示す図である。  
このマークシート５２０には、複数の画像エフェクトの設定項目５２１と、各設定項目５２１の下方に配置されるチェックボックス５２２とが印刷されている。画像エフェクトとしては、例えば、モノクロ、セピアおよび標準の３種類の選択肢がある。図５に示すマークシート５２０も、図４に示すマークシート５００と同様、最初に、ユーザがマーク５２３を塗りつぶす前の状態で印刷される。  
ユーザは、プリンタ１によって印刷された当該マークシート５２０上の所望の設定項目５２１を選択して、その下方にあるチェックボックス５２２を塗りつぶして、マークシート５２０をプリンタ１に給紙させる。特定のチェックボックス５２２を塗りつぶしたマークシート５２０をプリンタ１に給紙させると、光学センサ５３は、図５における移動方向の点線上を移動して、黒塗りのマーク５２３を検出する。図５に示すマークシート５２０では、セピアを設定しているので、セピア色の画像にて印刷が行われる。なお、光学センサ５３は、マークシート５２０の幅一杯に移動方向を移動せずに、チェックボックス５２２のある部分だけを移動しても良い。
【００５２】
図６は、ユーザが筆記用具を使用して所望の印刷特性を指定するためのマークシート５３０の一例を示す図である。  
このマークシート５３０には、複数の画像エフェクトの設定項目５３１と、各設定項目５３１の下方に配置されるチェックボックス５３２とが印刷されている。画像エフェクトとしては、例えば、ＰＩＭ（Print  Image Matching）、ＥＸＩＦ（Exchangeable image file format）、ＡＰＦ（Auto Photo Fine）およびＯＦＦ（オフ）の４種類の選択肢がある。ＰＩＭは、ディジタルカメラと連携して画像の明るさなどを忠実に印刷できる調整規格である。ＥＸＩＦは、ＪＥＩＴＡ（電子情報技術産業協会）によりファイル互換性を保つために規定された規格である。ＡＰＦは、彩度、明度、コントラスト等が適切でない写真の補正を行って印刷するための調整規格である。図６に示すマークシート５３０も、図５に示すマークシート５２０と同様、最初に、ユーザがマーク５３３を塗りつぶす前の状態で印刷される。
【００５３】
ユーザは、プリンタ１によって印刷された当該マークシート５３０上の所望の設定項目５３１を選択して、その下方にあるチェックボックス５３２を塗りつぶして、マークシート５３０をプリンタ１に給紙させる。特定のチェックボックス５３２を塗りつぶしたマークシート５３０をプリンタ１に給紙させると、光学センサ５３は、図６における移動方向の点線上を移動して、黒塗りのマーク５３３を検出する。図６に示すマークシート５３０では、ＰＩＭを設定しているので、ＰＩＭという調整規格にて調整された画像で印刷が行われる。なお、光学センサ５３は、マークシート５３０の幅一杯に移動方向を移動せずに、チェックボックス５３２のある部分だけを移動しても良い。
【００５４】
図７は、ユーザが筆記用具を使用して所望の印刷特性を指定するためのマークシート５４０の一例を示す図である。  
このマークシート５４０には、複数の画像補正調整パターンの設定項目５４１と、各設定項目５４１の下方に配置されるチェックボックス５４２とが印刷されている。画像補正調整のパターンとしては、例えば、シャープネス、ソフトおよび標準の３種類がある。図７に示すマークシート５４０も、図６に示すマークシート５３０と同様、最初に、ユーザがマーク５４３を塗りつぶす前の状態で印刷される。
【００５５】
ユーザは、プリンタ１によって印刷された当該マークシート５４０上の所望の設定項目５４１を選択して、その下方にあるチェックボックス５４２を塗りつぶして、マークシート５４０をプリンタ１に給紙させる。特定のチェックボックス５４２を塗りつぶしたマークシート５４０をプリンタ１に給紙させると、光学センサ５３は、図７における移動方向の点線上を移動して、黒塗りのマーク５４３を検出する。図７に示すマークシート５４０では、シャープネスを設定しているので、シャープに補正調整された画像で印刷が行われる。なお、光学センサ５３は、マークシート５４０の幅一杯に移動方向を移動せずに、チェックボックス５４２のある部分だけを移動しても良い。
【００５６】
図８は、ユーザが筆記用具を使用して撮影条件に適正な印刷特性を指定するためのマークシート５５０の一例を示す図である。  
このマークシート５５０には、複数の画像エフェクトの設定項目５５１と、各設定項目５４１の下方に配置されるチェックボックス５４２とが印刷されている。画像エフェクトとしては、例えば、被写体を人物とした場合に適したエフェクト、被写体を風景とした場合に適したエフェクト、接写した場合に適したエフェクトおよび標準の４種類の選択肢がある。図８に示すマークシート５５０も、図７に示すマークシート５４０と同様、最初に、ユーザがマーク５５３を塗りつぶす前の状態で印刷される。
【００５７】
ユーザは、プリンタ１によって印刷された当該マークシート５５０上の撮影条件に適すると思われる設定項目５５１を選択して、その下方にあるチェックボックス５５２を塗りつぶして、マークシート５５０をプリンタ１に給紙させる。特定のチェックボックス５５２を塗りつぶしたマークシート５５０をプリンタ１に給紙させると、光学センサ５３は、図８における移動方向の点線上を移動して、黒塗りのマーク５５３を検出する。図８に示すマークシート５５０では、被写体を人物とした場合に適したエフェクトを設定しているので、適正な人物の印刷が行われる。なお、光学センサ５３は、マークシート５５０の幅一杯に移動方向を移動せずに、チェックボックス５５２のある部分だけを移動しても良い。
【００５８】
図９は、図４から図８に示すマークシート５００，５２０，５３０，５４０，５５０（以後、「マークシート５００等」と称する。）を用いた印刷特性の調整手順を示すフローチャートである。
【００５９】
ユーザが、プリンタ１に印刷用紙４を挿入して、操作キー７によって画像補正調整あるいは画像エフェクトといった印刷特性の設定を指示すると、プリンタ１は印刷特性パターンデータを作成する（ステップＳ５６１）。  
次に、プリンタ１は、その印刷特性パターンの印刷位置を記憶し（ステップＳ５６２）、挿入された印刷用紙４を給紙しながら印刷特性パターンを印刷する（ステップＳ５６３）。次に、ユーザは、マークシート５００等を見て、所望の設定表示を選択して、その下にあるチェックボックス５１４，５２２，５３２，５４２，５５２（以後、「チェックボックス５１４等」と称する。）を塗りつぶし、当該チェックボックス５１４等を塗りつぶしたマークシート５００等をプリンタ１の給紙口２に挿入する。
【００６０】
プリンタ１は、マークシート５００等を給紙したか否かを判断し（ステップＳ５６４）、給紙に失敗したり、マークシート５００等が存在しなかった等の理由により給紙していない場合には、待機状態となり、再度、ステップＳ５６４の判断を行う。一方、マークシート５００等を給紙した場合には、プリンタ１は、続いて、チェックボックス５１４等にマークされているか否かを判断する（ステップＳ５６５）。
【００６１】
ステップＳ５６５の判断の結果、チェックボックス５１４等にマークされている場合には、プリンタ１は、塗りつぶされたマーク５１５，５２３，５３３，５４３，５５３（以後、「マーク５１５等」と称する。）の位置とステップＳ５６２において記憶したデータベースとを照合して（ステップＳ５６６）、当該マーク５１５等の位置に対応する印刷特性を決定する（ステップＳ５６７）。一方、ステップＳ５６５において、チェックボックス５１４等にマーク５１５等がない場合には、プリンタ１は、マークシート５００等を使った印刷特性の調整を行わず、現状の印刷特性を維持する。かかる一連の処理をもって、印刷特性の調整処理は終了する。
【００６２】
プリンタが印刷用紙に画像を印刷するとき、調整された印刷特性に従って画像データが印刷信号に変換される。プリンタ側で印刷信号を生成する場合、プリンタのＣＰＵ６１が、画像データに基づいて印刷データ（印刷信号）を生成し、その印刷データに従って印刷機構（搬送機構、キャリッジ移動機構、ヘッド駆動機構等）を制御して、画像を印刷する。
【００６３】
図１０は、ユーザが筆記用具を使用して所望の印刷特性を指定するためのマークシート６００の一例を示す図である。  
マークシート６００は、図５に示すマークシート５２０と同様、モノクロ、セピアおよび標準のいずれの画像エフェクトにて印刷を行うかを設定するためのものである。マークシート６００が先のマークシート５２０と異なる点は、設定項目５２１の代わりに、各画像エフェクトにて印刷された画像６０１が印刷されている点である。このようなマークシート６００をユーザに見せることによって、ユーザは、目視にて所望の画像エフェクトを選択することができる。ユーザがチェックボックス６０２の一つを黒く塗りつぶすと、その塗りつぶされたマーク６０３の位置が、光学センサ５３に読み取られる。図１０では、セピア色の画像６０１が選択されているので、セピア色の画像の印刷が実行される。
【００６４】
図１１は、ユーザが筆記用具を使用して所望の印刷特性を指定するためのマークシート６１０の一例を示す図である。  
マークシート６１０は、図６に示すマークシート５３０と同様、ＰＩＭ、ＥＸＩＦ、ＡＰＦおよびＯＦＦのいずれの画像エフェクトにて印刷を行うかを設定するためのものである。マークシート６１０が先のマークシート５３０と異なる点は、設定項目５３１の代わりに、各画像エフェクトにて印刷された画像６１１が印刷されている点である。このようなマークシート６１０をユーザに見せることによって、ユーザは、目視にて所望の画像エフェクトを選択することができる。ユーザがチェックボックス６１２の一つを黒く塗りつぶすと、その塗りつぶされたマーク６１３の位置が、光学センサ５３に読み取られる。図１１では、ＥＸＩＦの画像６１１が選択されているので、ＥＸＩＦにて調整された画像の印刷が実行される。
【００６５】
図１２は、図１０および図１１にそれぞれ示すマークシート６００および６１０（以後、「マークシート６００等」と称する。）を用いた印刷特性の調整手順を示すフローチャートである。  
ユーザが、プリンタ１に印刷用紙４を挿入して、操作キー７によって画像補正調整あるいは画像エフェクトといった印刷特性の設定を指示すると、プリンタ１は、接続されているディジタルカメラ等から特定の写真データを読み込む（ステップＳ６５０）。次に、プリンタ１は、読み込んだ写真データを利用して特定の印刷特性パターンデータを作成する（ステップＳ６５１）。  
次に、プリンタ１は、その印刷特性パターンの印刷位置を記憶し（ステップＳ６５２）、挿入された印刷用紙４を給紙しながら印刷特性パターンを印刷する（ステップＳ６５３）。この結果、マークシート６００等が印刷されることになる。その後のステップＳ６５４からステップＳ６５７は、図９に示すステップＳ５６４からステップＳ５６７と同様のステップであるため、その説明を省略する。
【００６６】
図１３は、図４に示すマークシート５００に確認用のマーク６６２を書き込むことができる確認用チェックボックス６６０，６６１を付加したマークシート５００の一例を示す図である。また、図１４は、図１３に示すマークシート５００の給紙後に設定指示した彩度、明度、コントラストにて、画像データ６７１を一覧印刷した状態を示す図である。  
図１３に示すマークシート５００において、図４に示すマークシート５００と共通する部分については、その説明を省略する。図１３のマークシート５００の下方には、確認用チェックボックス６６０，６６１が配置されている。この確認用チェックボックス６６０，６６１は、ユーザが塗りつぶしたマーク５１５の条件による印刷を確認したい場合に塗りつぶす確認用チェックボックス６６０と、再確認を要しない時に塗りつぶす確認用チェックボックス６６１である。
【００６７】
図４に示すマークシート５００にて、彩度、明度およびコントラストを選択指示しても、実際に印刷してみなければ、想像と異なる画像が得られるということも少なくない。このため、確認用チェックボックス６６０，６６１を設け、実際に一覧印刷を行わせる機能を設けている。  
ユーザが確認用チェックボックス６６０を塗りつぶして、マークシート５００をプリンタ１に給紙させる。すると、光学センサ５３は、図１３の点線に示されるように、チェックボックス印刷領域５１２および確認用チェックボックス６６０，６６１の位置を移動方向に移動し、マーク５１５の位置と確認用のマーク６６２の位置とを検出する。この検出に基づく画像補正調整の後、当該条件で画像を印刷することができる。
【００６８】
具体的には、図１３に示すマークシート５００の給紙後に、別の新しい印刷用紙４をプリンタ１に給紙させることによって、図１４に示すように、新たな調整後の画像６７１が印刷されたマークシート６７０を出力することができる。ユーザは、このマークシート６７０を見て、彩度、明度あるいはコントラストの再設定を行いたい場合には、チェックボックス６７２（再設定するためのもの）にマーク６７４を付ける。一方、再設定の必要がない場合には、ユーザは、チェックボックス６７３にマーク６７４を付ける。  
なお、確認用チェックボックス６６１は必須ではなく、確認用チェックボックス６６０のみを設け、当該確認用チェックボックス６６０における確認用のマーク６６２の有無のみによって、一覧印刷の要否を判断させるようにしても良い。また、再設定用チェックボックス６７３も必須ではなく、再設定用チェックボックス６７２のみとしても良い。
【００６９】
図１５は、図１３および図１４に示すマークシート５００，６７０を用いた印刷特性の調整手順を示すフローチャートである。  
ユーザが、プリンタ１に印刷用紙４を挿入して、操作キー７によって印刷特性の調整を指示すると、プリンタ１は、印刷特性パターンデータを作成する（ステップＳ７０１）。
【００７０】
次に、プリンタ１は、その印刷特性パターン５１１の下方のチェックボックス５１４および確認用チェックボックス６６０，６６１の印刷位置を記憶し（ステップＳ７０２）、挿入された印刷用紙４を給紙しながら印刷特性パターンおよび確認用チェックボックス６６０，６６１等を印刷する（ステップＳ７０３）。次に、ユーザは、マークシート５００を見て、所望の画像補正調整を選択して、その下にあるチェックボックス５１４と、確認用チェックボックス６６０および６６１のいずれかを塗りつぶし、マークシート５００をプリンタ１の給紙口２に挿入する。
【００７１】
プリンタ１は、マークシート５００を給紙したか否かを判断し（ステップＳ７０４）、給紙に失敗したり、マークシート５００が存在しなかった等の理由により給紙していない場合には、待機状態となり、再度、ステップＳ７０４の判断を行う。一方、マークシート５００を給紙した場合には、プリンタ１は、続いて、チェックボックス５１４にマークされているか否かを判断する（ステップＳ７０５）。
【００７２】
ステップＳ７０５の判断の結果、チェックボックス５１４にマーク５１５がある場合には、プリンタ１は、塗りつぶされたマーク５１５の位置とステップＳ７０２において記憶したデータベースとを照合して（ステップＳ７０６）、当該マーク５１５の位置に対応する印刷特性を決定する（ステップＳ７０７）。一方、ステップＳ７０５において、チェックボックス５１４にマーク５１５がない場合には、プリンタ１は、マークシート５００を使った印刷特性の調整を行わず、現状の印刷特性を維持する。
【００７３】
ステップＳ７０７に引き続いて、プリンタ１は、再確認用チェックボックス６７２にマーク６７４がされているか否かを判断する（ステップＳ７０８）。この結果、マーク６７４がなければ、処理を終了する。一方、マーク６７４がある場合には、プリンタ１は、画像データ６７１の一覧印刷を行う（ステップＳ７０９）。次に、プリンタ１は、マークシート６７０を給紙したか否かを判断する（ステップＳ７１０）。給紙に失敗したり、マークシート５００が存在しなかった等の理由により給紙していない場合には、待機状態となり、再度、ステップＳ７１０の判断を行う。一方、マークシート５００を給紙した場合には、プリンタ１は、続いて、再設定用チェックボックス６７２にマークされているか否かを判断する（ステップＳ７１１）。
【００７４】
この結果、再設定用チェックボックス６７２にマーク６７４がある場合には、ステップＳ７０１に戻り、再度、印刷特性パターンデータの作成、およびそれ以降の処理を行う。
【００７５】
一方、再設定用チェックボックス６７２にマーク６７４がない場合には、プリンタ１は、印刷特性の決定を行い（ステップＳ７１２）、処理は終了する。
【００７６】
＝＝＝第２実施形態＝＝＝
次に、プリンタとコンピュータとから構成される印刷装置の実施の形態について、図１６から図１９を参照して説明する。
【００７７】
図１６は、プリンタ８０２とコンピュータ８０３によって構成される印刷装置８０１の概略構成図であり、図１７は、プリンタ８０２の構成例を示すブロック図であり、図１８は、コンピュータ８０３の構成例を示す図であり、図１９は、コンピュータ８０３に実装されているプログラムおよびドライバの機能について説明する図である。
【００７８】
図１６に示すように、プリンタ８０２は、紙送りモータ８３０によって印刷用紙４を搬送する搬送機構と、キャリッジモータ８３１によってキャリッジ８３２を紙送りローラ８３３の軸方向に往復動させるキャリッジ移動機構とを有している。移動方向および搬送方向の定義は、第１の実施の形態における定義と同様である。
【００７９】
また、プリンタ８０２は、キャリッジ８３２に搭載されると共に印刷ヘッド８３４を備える印刷ヘッドユニット８３５と、この印刷ヘッドユニット８３５を駆動してインクの吐出およびドット形成を制御するヘッド駆動機構と、これらの紙送りモータ８３０、キャリッジモータ８３１、印刷ヘッドユニット８３５および操作パネル８０７との信号のやり取りを司る制御回路８１０とを備えている。  
制御回路８１０は、コネクタ８０４を介してコンピュータ８０３に接続されている。コンピュータ８０３は、プリンタ８０２用のドライバを搭載し、入力装置であるキーボードや、マウス等の操作によるユーザの指令を受け付け、また、プリンタ８０２における種々の情報を表示装置の画面表示によりに提示するユーザインターフェイスを構成している。
【００８０】
キャリッジ８３２には、図１６に示すように、各種インクカートリッジ８４１〜８４７が着脱可能に搭載されている。インクカートリッジ８４１，８４２，８４３，８４４，８４５，８４６，８４７は、それぞれダークイエロー（ＤＹ）、ライトマゼンダ（ＬＭ）、ライトシアン（ＬＣ）、ブラック（Ｋ）、シアン（Ｃ）、マゼンタ（Ｍ）およびイエロー（Ｙ）の各インクを収納したカートリッジである。  
キャリッジ８３２の下部には印刷ヘッド８３４が設けられている。印刷ヘッド８３４には、インク吐出箇所としてのノズルが印刷用紙４の搬送方向に列状に配置され、それぞれの色のインクに対応したノズル列が形成されている。  
また、キャリッジ８３２の下部に設けられ、各インクに対応づけられたノズル列には、ノズル毎に、電歪素子の１つであって応答性に優れたピエゾ素子が配置されている。ピエゾ素子は、ノズルまでインクを導くインク通路を形成する部材に接する位置に設置されている。ピエゾ素子は、電圧の印加により結晶構造が歪み、極めて高速に電気−機械エネルギの変換を行う。
【００８１】
本実施の形態では、ピエゾ素子の両端に設けられた電極間に所定時間幅の電圧を印加することにより、ピエゾ素子が電圧の印加時間だけ伸張し、インク通路の一側壁を変形させる。この結果、インク通路の体積はピエゾ素子の伸張に応じて収縮し、この収縮分に相当するインクが、インク滴となって、ノズルの先端から高速に吐出される。このインク滴が紙送りローラ８３３に沿わされた印刷用紙４に染み込むことにより、ドットが形成されて印刷が行われる。インク滴の大きさは、ピエゾ素子への電圧の印加方法によって変更することができる。これにより、例えば、大、中、小の３種類の異なる大きさのドットを形成することができる。
【００８２】
印刷用紙４を搬送する搬送機構は、紙送りモータ８３０の回転を紙送りローラ８３３と用紙搬送ローラ（図示せず）とに伝達するギヤトレイン（図示せず）を備える。また、キャリッジ８３２を往復動させるキャリッジ移動機構は、紙送りローラ８３３の軸と並行に架設されキャリッジ８３２を摺動可能に保持する摺動軸８５０と、キャリッジモータ８３１との間に無端の駆動ベルト８５１を張設するプーリ８５２と、印刷用紙４の印刷開始位置および前述のマークシート５００等上のマーク５１５等を検出するためのセンサの一例としての光学センサ８５３とを備えている。
【００８３】
光学センサ８５３は、印刷用紙４に対して光を投射するための光源（例えば、ＬＥＤ（Light Emitting Diode））と、印刷用紙４によって反射されてきた光を電気信号に変換するための検出部（例えば、フォトダイオード）によって構成されている。光学センサ８５３は、キャリッジ８３２に搭載されているので、キャリッジ８３２の移動方向に移動可能である。この光学センサ８５３は、紙の有無を検出することもできるので、キャリッジ８３２の移動中に紙の端部を検出して紙幅を検出したり、搬送中の紙の端部を検出して紙の上端や下端を検出したりできる。
【００８４】
図１７に示すように、制御回路８１０は、ＣＰＵ（Central Processing Unit）８６１、プログラマブルＲＯＭ（Ｐ−ＲＯＭ（Read Only Memory））８６２、ＲＡＭ（Random Access Memory）８６３、文字のドットマトリクスを記憶したキャラクタジェネレータ（ＣＧ（Character Generator））８６４、およびＥＥＰＲＯＭ（Electrically Erasable and Programmable ROM）８６５を備え、これらの間をバス８７０によって信号の送受信を可能な算術論理演算回路として構成されている。ＥＥＰＲＯＭ８６５は、マークシート上の各マークの位置の情報に対して画像補正調整パターンあるいは画像エフェクト設定パターンを関連付けたデータベースを記憶する記憶手段である。
【００８５】
この制御回路８１０は、さらに、外部のモータ等とのインタフェース（Ｉ／Ｆ（Interface））であるＩ／Ｆ専用回路８６６と、このＩ／Ｆ専用回路８６６に接続され印刷ヘッドユニット８３５を駆動してインクを吐出させるヘッド駆動回路８６７と、紙送りモータ８３０およびキャリッジモータ８３１を駆動するモータ駆動回路８６８とを備えている。
【００８６】
Ｉ／Ｆ専用回路８６６は、パラレルインタフェース回路を内蔵しており、コネクタ８０４を介してコンピュータ８０３から供給される印刷信号ＰＳを受け取ることができる。
【００８７】
図１８に示すように、コンピュータ８０３は、ＣＰＵ９０１、ＲＯＭ９０２、ＲＡＭ９０３、ＨＤＤ（Hard Disk Drive）９０４、ビデオ回路９０５、Ｉ／Ｆ９０６、バス９０７、表示装置８０５、入力装置９０８および外部記憶装置９０９によって構成されている。
【００８８】
ここで、ＣＰＵ９０１は、ＲＯＭ９０２およびＨＤＤ９０４に格納されているプログラムに従って各種演算処理を実行するとともに、装置の各部を制御するコントローラ（制御部）である。ＣＰＵ４０１は、プリンタ内の各部を制御するための制御コードをプリンタに送信することにより、キャリッジ移動機構を制御してキャリッジ（及び印刷ヘッド）を移動させ、搬送機構を制御して印刷用紙を搬送方向に搬送させ、また、ヘッド駆動機構を制御して印刷ヘッドにインクを吐出させることができる。また、ＣＰＵ９０１は、光学センサ８５３の検出結果を受信し、その検出結果を解析し、解析結果に応じた制御コードをプリンタに送信することもできる。
【００８９】
ＲＯＭ９０２は、ＣＰＵ９０１が実行する基本的なプログラムおよびデータを格納しているメモリである。ＲＡＭ９０３は、ＣＰＵ９０１が実行途中のプログラムや、演算途中のデータ等を一時的に格納するメモリである。  
ＨＤＤ９０４は、ＣＰＵ９０１からの要求に応じて、記録媒体であるハードディスクに記録されているデータおよびプログラムを読み出すとともに、ＣＰＵ９０１の演算処理の結果として発生したデータを前述したハードディスクに記録する記録装置である。  
ビデオ回路９０５は、ＣＰＵ９０１から供給された描画命令に応じて描画処理を実行し、得られた画像データを映像信号に変換して表示装置８０５に出力する回路である。Ｉ／Ｆ９０６は、入力装置９０８および外部記憶装置９０９から出力された信号の表現形式を適宜変換するとともに、プリンタ８０２に対して印刷信号ＰＳを出力する回路である。  
バス９０７は、ＣＰＵ９０１、ＲＯＭ９０２、ＲＡＭ９０３、ＨＤＤ９０４、ビデオ回路９０５およびＩ／Ｆ９０６を相互に接続し、これらの間でデータの授受を可能とする信号線である。
【００９０】
表示装置８０５は、例えば、ＬＣＤ（Liquid Crystal Display）モニタやＣＲＴ（Cathode Ray Tube）モニタによって構成され、ビデオ回路９０５から出力された映像信号に応じた画像を表示する装置である。入力装置９０８は、例えば、キーボードあるいはマウスによって構成されており、ユーザの操作に応じた信号を生成して、Ｉ／Ｆ９０６に供給する装置である。
【００９１】
外部記憶装置９０９は、例えば、ＣＤ−ＲＯＭ（Compact Disk-ROM）ドライブユニット、ＭＯ（Magneto Optic）ドライブユニット、ＦＤＤ（Flexible Disk Drive）ユニットによって構成され、ＣＤ−ＲＯＭディスク、ＭＯディスク、ＦＤに記録されているデータやプログラムを読み出してＣＰＵ９０１に供給する装置である。また、ＭＯドライブユニットおよびＦＤＤユニットの場合には、ＣＰＵ９０１から供給されたデータを、ＭＯディスクまたはＦＤに記録する装置である。
【００９２】
図１９は、コンピュータ８０３に実装されているプログラムおよびドライバの機能について説明する図である。なお、これらの機能は、コンピュータ８０３のハードウエアと、ＨＤＤ９０４に記録されているソフトウエアとが協働することにより実現される。この図に示すように、コンピュータ８０３には、アプリケーションプログラム９１１、ビデオドライバプログラム９１２、およびプリンタドライバプログラム９２０が実装されており、これらが所定のオペレーティングシステム（ＯＳ）の下で動作している。
【００９３】
アプリケーションプログラム９１１は、例えば、画像処理プログラムであり、画像処理後のデータを、プリンタドライバプログラム９２０およびビデオドライバプログラム９１２に出力する。  
ビデオドライバプログラム９１２は、ビデオ回路９０５を駆動するためのプログラムであり、例えば、アプリケーションプログラム９１１から供給されたデータに対してガンマ処理やホワイトバランスの調整等を行った後、映像信号を生成して表示装置８０５に供給して表示させる。
【００９４】
プリンタドライバプログラム９２０は、解像度変換モジュール９２１、色変換モジュール９２２、色変換テーブル９２３、ハーフトーンモジュール９２４、ＬＵＴ（Look Up Table）９２５、および印刷データ生成モジュール９２６によって構成されており、アプリケーションプログラム９１１によって生成されたデータに対して後述する種々の処理を施して印刷データを生成し、プリンタ８０２に供給する。また、プリンタドライバプログラム９２０は、画像を印刷しようとする印刷媒体の種類に応じてＬＵＴ９２５を更新する処理も実行する。  
ここで、解像度変換モジュール９２１は、アプリケーションプログラム９１１から供給されたデータの解像度を、印刷ヘッド８３４の解像度に応じて変換する処理を行う。
【００９５】
色変換モジュール９２２は、Ｒ，Ｇ，Ｂ（Red, Green, Blue）表色系によって表現されている画像データを、色変換テーブル９２３を参照して、Ｃ，Ｍ，Ｙ，Ｋ，ＬＣ，ＬＭ，ＤＹ（Cyan, Magenta, Yellow, Black, Light Cyan, Light Magenta, Dark Yellow）表色系の画像データに変換する処理を行う。  
ハーフトーンモジュール９２４は、ディザ処理により、Ｃ，Ｍ，Ｙ，Ｋ，ＬＣ，ＬＭ，ＤＹ表色系によって表された画像データを、ＬＵＴ９２５を参照して、大、中、小の３種類のドットの組み合わせからなるビットマップデータに変換する。  
印刷データ生成モジュール９２６は、ハーフトーンモジュール９２４から出力されたビットマップデータから、ドットの記録状態を示すラスタデータと、搬送量（副走査送り量）を示すデータとを含む印刷データを生成して、プリンタ８０２に供給する。
【００９６】
なお、第１の実施の形態において図４から図１５に基づいて説明した処理は第２の実施の形態でも同様の処理であるため、その説明を省略する。この場合、印刷特性の調整結果に基づいて、色変換モジュールやハーフトーンモジュールの設定が調整される。これにより、プリンタドライバプログラム（プリンタドライバプログラムをインストールしたコンピュータ８０３のＣＰＵ９０１）は、印刷特性の調整を反映させて、アプリケーションプログラムからの画像データを印刷データ（印刷信号）に変換することができる。また、プリンタドライバプログラムは、アプリケーションプログラムから受け取った画像データを、印刷特性の調整結果に基づいて調整し、調整された画像データを解像度変換モジュール９２１に供給してもよい。
【００９７】
以上、本発明の各実施の形態についてそれぞれ説明したが、本発明はこれ以外にも種々変形可能である。例えば、上述の各実施の形態では、チェックボックスとして、楕円形状のものを用いるようにしたが、これ以外にも、例えば、矩形または円その他の形状を用いることも可能である。また、光学センサ５３，８５３を印刷ヘッド３４，８３４に設けるのではなく、駆動ベルト５１，８５１等の他の往復動作部材に設置するようにしても良い。
【００９８】
また、マークシート５００等に対して、マークシート５００等の種類を判別するためのコード（例えば、バーコード）を印刷し、いずれのマークシート５００等が挿入されているかを判別するようにしても良い。そのような実施の形態によれば、マークシート５００等を誤って挿入した場合でも、誤認識を防止できる。
【００９９】
また、マークシート５００等を印刷する際に、予めチェックボックス印刷領域５１２を印刷した印刷用紙４を給紙口２から挿入すると複数の画像補正調整パターン若しくは画像エフェクト設定パターンが印刷されるようにしても良い。さらに、光学センサ５３，８５３は、マークシート５００等上のマーク５１５等ではなくチェックボックス５１４等に開けた穴（マークの下位概念）の有無を検出しても良い。さらに、光学センサ５３，８５３の代わりに、光源と、印刷用紙４およびマークシート５００等とを挟んで光源の裏側に配置した受光素子とから構成されるセンサとを採用し光の透過度によって印刷用紙４の端部およびマークシート５００等上のマーク５１５等の位置を検出するようにしても良い。さらに、センサとして、磁気センサを用いて、マーク５１５等に含まれる磁性粉の存在を検出するようにしても良い。また、センサをＣＣＤカメラとし、そのＣＣＤカメラを搬送方向またはその方向と直交する移動方向にスキャンすることによって、マーク５１５等の位置の情報を読み取るようにしても良い。
【０１００】
また、上記の実施の形態では、チェックボックス５１４等の位置の情報を、ＥＥＰＲＯＭ６５，８６５に記憶するようにしたが、例えば、Ｐ−ＲＯＭ６２，８６２に格納したり、パーソナルコンピュータ８０３のＨＤＤ９０４に格納するようにしても良い。
【０１０１】
また、印刷特性として、Ｂｉ−Ｄ調整、ＰＦ調整、紙送り量（搬送量）、用紙サイズ、用紙種類、画質、縁無し印刷、複数の画像を１枚の印刷用紙に印刷する場合の画像のレイアウト等を採用しても良い。
【０１０２】
また、上述の実施の形態では、インクとしては、ＣＭＹＫの４色を用いるようにしたが、これら４色に代えて、または、４色に加えて淡色系のインク（ライトシアン（ＬＣ）、ライトマゼンタ（ＬＭ）、ダークイエロー（ＤＹ））のインクを用いるようにしても良い。また、上述の実施の形態では、ピエゾ素子を用いてインクを吐出するヘッドを備えたプリンタを用いているが、吐出駆動素子としては、ピエゾ素子以外の種々のものを利用することが可能である。例えば、インク通路に配置したヒータに通電し、インク通路内に発生する気泡（バブル）によりインクを吐出するタイプの吐出駆動素子を備えたプリンタに適用することも可能である。または、いわゆるレーザープリンタ等に対しても本発明を適用することが可能であることはいうまでもない。
【０１０３】
なお、上述の処理機能を記述したプログラムは、コンピュータで読み取り可能な記録媒体に記録しておくことができる。コンピュータで読み取り可能な記録媒体としては、磁気記録装置、光ディスク、光磁気記録媒体、半導体メモリ等がある。磁気記録装置には、ハードディスク装置（ＨＤＤ）、フレキシブルディスク（ＦＤ）、磁気テープ等がある。光ディスクには、ＤＶＤ、ＤＶＤ−ＲＡＭ（Random Access Memory）、ＣＤ−ＲＯＭ、ＣＤ−Ｒ（Recordable）／ＲＷ（ReWritable）等がある。光磁気記録媒体には、ＭＯ等がある。
【０１０４】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１０５】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１０６】
＝＝＝第３実施形態＝＝＝
＜画像印刷用のマークシート７００について＞
第３実施形態のプリンタの構造は第１実施形態と同様なので、説明を省略する。
【０１０７】
図２０は、第３実施形態のフロー図である。このフローは、メモリカードがドライブユニット８に挿入されたとき、又は、プリンタにデジタルカメラ（このデジタルカメラにはメモリカードが入っている）が接続されたとき、開始される。  
このメモリカードには、デジタルカメラで記録された複数の画像データが格納されている。ユーザがデジタルカメラで風景等を撮影したとき、デジタルカメラは、設定された条件で主データを作成すると共に、この主画像データによりサムネイル画像データを作成し、主画像データとサムネイル画像データとを画像データとしてメモリカードに記憶する。このため、メモリカードの各画像データは、高解像度の主画像データと、この主画像データから作成されたサムネイル画像データとを有している。また、ファイル形式によっては、画像データの中に、デジタルカメラで撮影したときの撮影条件も記録されている。
【０１０８】
まず、プリンタのＣＰＵ６１は、メモリカードから、全ての画像データのサムネイル画像データを読み取る（ステップＳ３０１）。ＣＰＵ６１は、読み取ったサムネイル画像データをＲＡＭ６３上に展開し、画像印刷用のマークシート７００を印刷するための印刷データ（印刷信号）を生成する。ＣＰＵ６１は、生成した印刷データに基づいて、プリンタ内の印刷機構（キャリッジ移動機構、搬送機構、ヘッド駆動機構等）を制御し、画像印刷用のマークシート７００を印刷させる（ステップＳ３０２）。
【０１０９】
図２１は、画像印刷用のマークシート７００の説明図である。このマークシートには、印刷対象となる画像のサムネイル画像を印刷するサムネイル画像領域７１０と、印刷枚数を指示するためのチェックボックスが印刷された枚数指示領域７２０と、画像補正（印刷特性）を調整するためのチェックボックスが印刷された調整指示領域７３０とがある。
【０１１０】
ユーザは、マークシートに印刷されたサムネイル画像を見て、どの画像を印刷するのかを判断する。そして、印刷を希望する画像があれば、ユーザは、枚数指示領域７２０のチェックボックスを塗りつぶし、希望する印刷枚数のチェックボックスを塗りつぶす。印刷を希望しない場合、枚数指示領域７２０のチェックボックスを塗りつぶさなければよい。
【０１１１】
また、ユーザは、画像補正を調整したい場合、調整指示領域７３０のチェックボックスを塗りつぶす。例えば、「富士山」の画像をモノクロで印刷したい場合、ユーザは、富士山のサムネイル画像の横にある「モノクロ」のチェックボックスを塗りつぶす。また、例えば、「家」の画像を高いコントラストで印刷したい場合、ユーザは、「家」の画像の横にある「コントラスト」のチェックボックスのうち、「＋１」又は「＋２」のチェックボックスを塗りつぶす。ユーザは、マークシートへの記入を終えた後、プリンタの給紙口２にマークシートをセットする。
【０１１２】
次に、プリンタのＣＰＵ６１は、マークシートの給紙を開始する（ステップＳ３０３）。まず、ＣＰＵ６１は、光学センサ５３が「富士山」の画像に関するチェックボックスを読み取り可能な位置まで、マークシートを搬送機構に搬送させる。搬送後、ＣＰＵ６１は、キャリッジを移動方向に移動させ、チェックボックスを光学センサ５３に読み取らせる（ステップＳ３０４）。このようにして、ＣＰＵ６１は、光学センサ５３の読取結果に基づいて、「富士山」の画像に対するユーザの指示（印刷枚数の指示、画像補正の調整の指示）を記憶する。なお、他の画像に対応するチェックボックスも同様に読み取られる。
【０１１３】
マークシートのチェックボックスの読み取りを終えた後、ＣＰＵ６１は、マークシートを搬送機構に排紙させ、メモリカードから、ユーザが選択した画像に対応する画像データの主画像データを読み取る（ステップＳ３０５）。ＣＰＵ６１は、読み取った主画像データをＲＡＭ６３上に展開し、ユーザから指示された調整内容に従って主画像データを画像補正し、印刷データ（印刷信号）を生成する（ステップＳ３０６）。例えば、「富士山」の主画像データをモノクロに画像補正して、印刷データを生成する。そして、ＣＰＵ６１は、生成した印刷データに基づいて、プリンタ内の各部を制御し、ユーザから指示された印刷枚数分の画像を印刷させる（ステップＳ３０７）。
【０１１４】
上記の説明では、画像補正（印刷特性）の調整の例として「モノクロ」「セピア」や彩度等を説明したが、前述の実施形態で説明した他の画像補正の調整であってもよい。
【０１１５】
上記の説明では、プリンタのＣＰＵ６１が、印刷データを生成し、その印刷データに従って印刷機構（搬送機構、キャリッジ移動機構、ヘッド駆動機構等）を制御して、画像を印刷する。しかし、これらの処理をコンピュータ８０３のＣＰＵ９０１が行ってもよい。
【０１１６】
この場合、まず、プリンタドライバプログラム（プリンタドライバプログラムをインストールしたコンピュータ８０３のＣＰＵ９０１）は、ＨＤＤ９０４に格納されている画像データを用いて、画像印刷用のマークシート７００を印刷させる印刷データを生成し、プリンタに送信する。この印刷データを受信したプリンタはマークシートを印刷し、ユーザがマークシートに記入を行い、プリンタがマークシートを検出し、プリンタが検出結果をコンピュータへ送信する。その後、プリンタドライバプログラムは、この検出結果に基づいて画像補正の調整を行い、この画像補正の調整を反映させた印刷データを生成する。そして、この印刷データをプリンタドライバプログラムがプリンタに送信すれば、プリンタは、ユーザの希望する画質にて、画像を印刷する。
【図面の簡単な説明】
【０１１７】
【図１】本発明の第１の実施の形態に係る印刷装置の概観を示す図。
【図２】図１に示す印刷装置の主要部の構成例を示すブロック図。
【図３】図１に示す印刷装置中の制御回路の内部の構成例を示す図。
【図４】印刷特性を調整するためのマークシートの一例を示す図。
【図５】図４のマークシートと異なる形式のマークシートの一例を示す図。
【図６】図５のマークシートと異なる形式のマークシートの一例を示す図。
【図７】図４のマークシートと異なる形式のマークシートの一例を示す図。
【図８】図５のマークシートと異なる形式のマークシートの一例を示す図。
【図９】図４から図８に示すマークシートを用いた印刷特性の調整手順を示すフローチャート。
【図１０】図５のマークシートと異なる形式のマークシートの一例を示す図。
【図１１】図６のマークシートと異なる形式のマークシートの一例を示す図。
【図１２】図１０および図１１に示すマークシートを用いた印刷特性の調整手順を示すフローチャート。
【図１３】図４のマークシートと異なる形式のマークシートの一例を示す図。
【図１４】図１３に示すマークシートの給紙後に新たに給紙した印刷用紙に、設定した画像補正調整により画像を一覧印刷した状態を示す図。
【図１５】図１３および図１４に示すマークシートを用いた印刷特性の調整手順を示すフローチャート。
【図１６】本発明の第２の実施の形態にかかる印刷装置の概略構成を示す図。
【図１７】図１６に示す印刷装置の内のプリンタの構成を示す図。
【図１８】図１６に示す印刷装置の内のコンピュータの構成を示す図。
【図１９】図１６に示す印刷装置の内のコンピュータに実装されているプログラムおよびプリンタドライバの機能を説明するための図。
【図２０】第３実施形態のフロー図である。
【図２１】画像印刷用のマークシートの説明図である。
【符号の説明】
【０１１８】
１  プリンタ                  ３０  紙送りモータ
３２  キャリッジ              ３３  紙送りロータ
３４  印刷ヘッド              ５３  光学センサ
６１  ＣＰＵ                  ６５  ＥＥＰＲＯＭ
５００  マークシート          ５１５  マーク
５２０  マークシート          ５２３  マーク
５３０  マークシート          ５３３  マーク
５４０  マークシート          ５４３  マーク
５５０  マークシート          ５５３  マーク
６００  マークシート          ６０３  マーク
６１０  マークシート          ６１３  マーク
６６２  確認用のマーク        ６７０  マークシート
８０１  印刷装置              ８０２  プリンタ
８０３  コンピュータ          ８３０  紙送りモータ
８３２  キャリッジ            ８３３  紙送りロータ
８３４  印刷ヘッド            ８５３  光学センサ
８６１  ＣＰＵ                ８６５  ＥＥＰＲＯＭ
９０１  ＣＰＵ
【図１】
2005324526.tif 000003
【図２】
2005324526.tif 000004
【図３】
2005324526.tif 000005
【図４】
2005324526.tif 000006
【図５】
2005324526.tif 000007
【図６】
2005324526.tif 000008
【図７】
2005324526.tif 000009
【図８】
2005324526.tif 000010
【図９】
2005324526.tif 000011
【図１０】
2005324526.tif 000012
【図１１】
2005324526.tif 000013
【図１２】
2005324526.tif 000014
【図１３】
2005324526.tif 000015
【図１４】
2005324526.tif 000016
【図１５】
2005324526.tif 000017
【図１６】
2005324526.tif 000018
【図１７】
2005324526.tif 000019
【図１８】
2005324526.tif 000020
【図１９】
2005324526.tif 000021
【図２０】
2005324526.tif 000022
【図２１】
2005324526.tif 000023